(57)【要約】【課題】  従来、画像を表示しながら電話番号、メールアドレス、ＵＲＬ等を入力することは考慮されていなかった。また、画像を表示しながら電話番号等を入力するとともに、当該画像と電話番号等とを関連付けて記憶することは考慮されていなかった。【解決手段】  本発明は、画像情報を記憶する記憶部と、前記画像情報を表示する表示部と、宛先情報を入力する入力部と、を備えた携帯情報端末において、前記表示部に前記記憶部から読み出された画像情報を表示中に、前記入力部より宛先情報を入力することが可能であり、該画像情報と該宛先情報とを同一画面に表示することを特徴とする。【選択図】  図１
2005159487.tif 000002
【特許請求の範囲】
【請求項１】
画像情報を記憶する記憶部と、
前記画像情報を表示する表示部と、
宛先情報を入力する入力部と、を備えた携帯情報端末において、
前記表示部に前記記憶部から読み出された画像情報を表示中に、前記入力部より宛先情報を入力することが可能であり、該画像情報と該宛先情報とを同一画面に表示することを特徴とする携帯情報端末。
【請求項２】
請求項１記載の携帯情報端末において、
前記記憶部は、前記画像情報と前記宛先情報とを関連付けて記憶し、
前記表示部は、前記画像情報を表示するとともに、該画像情報と関連付けられた宛先情報を表示することを特徴とする携帯情報端末。
【請求項３】
画像情報を記憶する記憶部と、
前記画像情報を表示する表示部と、
宛先情報を入力する入力部と、を備えた携帯情報端末において、
前記表示部は、表示領域を第１の表示領域と第２の表示領域とに分割し、前記第１の表示領域に前記記憶部から読み出された画像情報を表示するとともに、前記第２の表示領域に前記入力部から入力された宛先情報を表示することを特徴とする携帯情報端末。
【請求項４】
請求項３記載の携帯情報端末において、
前記記憶部は、前記画像情報と前記宛先情報とを関連付けて記憶し、
前記表示部は、前記第１の表示領域に前記画像情報を表示するとともに、前記第２の表示領域に該画像情報と関連付けられた宛先情報を表示することを特徴とする携帯情報端末。
【請求項５】
請求項４記載の携帯情報端末において、
前記表示部は、表示する画像情報と関連付けられた宛先情報がないときは、表示部の画面全体を前記第１の表示領域として前記画像情報を表示することを特徴とする携帯情報端末。
【請求項６】
請求項１から５のいずれか記載の携帯情報端末において、
前記表示部に表示する画像情報は、前記記憶部に記憶された画像情報から使用者により選択されたものであることを特徴とする携帯情報端末。
【請求項７】
請求項１から６のいずれか記載の携帯情報端末において、
前記宛先情報は電話番号であり、
前記表示部に宛先情報として電話番号が表示されているときに発信指示が出された場合には、該電話番号へ発信することを特徴とする携帯情報端末。
【発明の詳細な説明】
【技術分野】
【０００１】
本発明は、携帯情報端末に関し、特に、画像情報と電話番号等の宛先情報とを関連付けて表示可能な携帯電話に関する。
【背景技術】
【０００２】
従来、携帯電話から発信する際、表示画面に相手先の電話番号とともに人物像等の画像を同時に表示することにより、相手を画像で確認してから発信することを可能とする手法が提案されていた（例えば、特許文献１参照）。
【０００３】
【特許文献１】特開平１１−４１３３９号公報
【発明の開示】
【発明が解決しようとする課題】
【０００４】
しかしながら、上記特許文献１においては、事前に記憶した画像情報を表示しながら電話番号、メールアドレス、ＵＲＬ等の宛先情報を入力することは考慮されていなかった。また、画像を表示しながら宛先情報を入力するとともに、当該画像情報と宛先情報とを関連付けて記憶することは考慮されていなかった。さらに、画像に宛先情報を重畳して表示する場合、表示された宛先情報により画像が一部隠されてしまい重要な部分が見えなくなる場合があるが、このようなことは考慮されていなかった。
【０００５】
そこで、本発明は、上記問題を解決し、使い勝手の良い携帯情報端末を提供することを目的とする。
【課題を解決するための手段】
【０００６】
上記目的を達成するため、本発明は、画像情報を記憶する記憶部と、前記画像情報を表示する表示部と、宛先情報を入力する入力部と、を備えた携帯情報端末において、前記表示部に前記記憶部から読み出された画像情報を表示中に、前記入力部より宛先情報を入力することが可能であり、該画像情報と該宛先情報とを同一画面に表示することを特徴とする。
【発明の効果】
【０００７】
本発明によれば、使い勝手の良い携帯情報端末を提供することが可能となる。
【発明を実施するための最良の形態】
【０００８】
以下、本発明の実施の形態について、図面を用いて説明する。
【０００９】
図１は本発明による携帯情報端末の一実施の形態を示すブロック図である。
【００１０】
本発明に係る携帯情報端末は、制御部１０１、通信部１０２、入力部１０３、カメラ部１０７、表示部１０８、マイク１０９、スピーカ１１０、ＲＯＭ（Ｒｅａｄ  Ｏｎｌｙ  Ｍｅｍｏｒｙ）１１１、ＲＡＭ（Ｒａｎｄｏｍ  Ａｃｃｅｓｓ  Ｍｅｍｏｒｙ）１１６から構成される。
【００１１】
制御部１０１は、通信部１０２、入力部１０３、カメラ部１０７、表示部１０８、マイク１０９、スピーカ１１０、ＲＯＭ１１１、ＲＡＭ１１６を制御する。通信部１０２は、音声及び各種データの送受信を行う。通信方法は有線でも無線でもよい。
【００１２】
入力部１０３は、発信するための発信キー１０４と、電話番号、メールアドレス、ＵＲＬ等の宛先情報を入力するための入力キー１０５と、画像情報と宛先情報とを対応付けて記憶するための記憶キー１０６から構成される。
【００１３】
カメラ部１０７は、撮影対象を画像情報へ変換する。表示部１０８は、画像情報や電話番号等の宛先情報を表示する。マイク１０９は、自分の音声を入力する。スピーカ１１０は通話相手の音声を出力する。
【００１４】
ＲＯＭ１１１は、画像情報記憶処理部１１２、宛先情報記憶処理部１１３、表示処理部１１４、発信処理部１１５を有する。これらの各処理部には各処理を行うためのプログラムが記憶されており、画像情報記憶処理部１１２に画像情報記憶処理プログラム、宛先情報記憶処理部１１３に宛先情報記憶処理プログラム、表示処理部１１４に表示処理プログラム、発信処理部１１５に発信処理プログラムが記憶されている。
【００１５】
ＲＡＭ１１６は、画像情報記憶部１１７、宛先情報記憶部１１８、リンクテーブル記憶部１１９を有する。これらの各記憶部には各情報が記憶されており、画像情報記憶部１１７には画像情報、宛先情報記憶部１１８には宛先情報、リンクテーブル記憶部１１９には画像情報と宛先情報の関連付けを示すリンクテーブルが記憶されている。
【００１６】
画像情報記憶処理部１１２の画像情報記憶処理プログラムは、カメラ部１０７により取り込まれた画像データを画像情報記憶部１１７へ記憶する。宛先情報記憶処理部１１３の宛先情報記憶処理プログラムは、入力キー１０５から入力された電話番号、メールアドレス、ＵＲＬ等の宛先情報を宛先情報記憶部１１８に記憶する。表示処理部１１４の表示処理プログラムは、画像情報記憶部１１７及びまたは宛先情報記憶部１１８に記憶されている情報を表示部１０８へ表示する。発信処理部１１５の発信処理プログラムは、発信キー１０４からの操作により表示部１０８に表示されている電話番号、メールアドレス、ＵＲＬに対して発信を行う。
【００１７】
ここで、画像情報を表示しながら、宛先情報を入力、発信、表示する際の動作の概要を説明する。例として、名刺の画像を撮影、記憶した後、その画像を表示しながら名刺に印刷された電話番号を入力、発信、表示するときの動作の概要を説明する。
【００１８】
まず、ユーザが入力部１０３により撮影するための操作をすると、制御部１０１のカメラ部１０７は名刺の画像を撮影する。画像情報記憶処理プログラムは、カメラ部１０７により撮影された画像情報を画像情報記憶部１１７に記憶する。
【００１９】
次に、ユーザが入力部１０３により任意の画像情報を表示させるための操作をすると、表示処理プログラムは、ユーザにより指定された画像情報を画像情報記憶部１１７から読み出し、表示部１０８に画像情報を画面一杯に表示する。
【００２０】
ここで、ユーザが入力キー１０５を押すと、表示処理プログラムは、表示部１０８を、画像情報を表示する画像情報領域と、電話番号（宛先情報）を入力する宛先情報領域とに分割して表示する。ユーザは、画像情報領域に表示された名刺の電話番号を確認しながら、宛先情報領域に電話番号を入力する。これにより、画像情報を表示しながら電話番号を効率良く入力することが可能となり、使い勝手の向上を図ることが可能となる。
【００２１】
ここで、ユーザが発信キー１０４を押すと、発信処理プログラムは、入力された電話番号に発信する。また、この際、宛先情報記憶処理プログラムは、入力された電話番号を宛先情報記憶部１１８に記憶するとともに、画像情報と電話番号を関連付けしてリンクテーブル記憶部１１９に記憶する。
【００２２】
その後、ユーザが入力部１０３により任意の画像情報を画像情報記憶部１１７から読み出すための操作をすると、制御部１０１は、リンクテーブル記憶部１１９を参照し、関連付けられた電話番号を宛先情報記憶部１１８から読み出し、表示処理プログラムは、画像と電話番号をそれぞれの表示領域に分けて表示部１０８に表示する。
【００２３】
以上、画像情報（名刺の画像）を表示しながら、宛先情報（電話番号）を入力、発信、表示する際の動作の概要を説明した。
【００２４】
なお、画像情報には、カメラ部１０７で撮影した画像、友人からメールに添付して送られてきた画像、インターネット等から入手した画像、着脱自在なメモリに記憶された画像に関する各種の画像情報が含まれる。これにより、各種の画像情報を画面に表示しながら容易に入力することが可能となり、ユーザの利便性の向上を図ることができる。
【００２５】
また、画像には、電話番号、メールアドレス、ＵＲＬが記載されたものが含まれ、名刺、雑誌、書籍、新聞、広告、看板等の画像でも構わない。例えば、相手の電話番号が記載された名刺、メールアドレスが記載された雑誌、インターネットのサイトのＵＲＬが記載された広告等に関する画像も含まれる。これにより、ユーザは様々な画像を画面に表示しながら容易に入力することが可能となり、ユーザの利便性の向上を図ることができる。
【００２６】
また、宛先情報には、電話番号、メールアドレス、ＵＲＬ等の宛先、送信先に関する各種の情報が含まれる。これにより、画像情報を画面に表示しながら各種の宛先、送信先を容易に入力することが可能となり、ユーザの利便性の向上を図ることができる。
【００２７】
また、発信キー１０４を押して発信すると宛先情報を記憶する処理を説明したが、発信処理を行わずに、記憶キー１０６を押すことにより宛先情報を記憶するようにしても良い。これにより、発信処理を行うことなく画像情報と宛先情報とを関連付けて記憶することが可能となり、ユーザの利便性の向上を図ることができる。
【００２８】
次に、画像情報を表示しながら、宛先情報を入力、発信、表示する際の動作処理の流れについて、図２と図３を用いて詳細に説明する。例として、名刺の画像を撮影、記憶した後、その画像を表示しながら名刺に印刷された電話番号を入力、発信、表示するときの動作処理の流れを説明する。
【００２９】
図２は、本発明の動作処理の流れを示すフローチャートである。図３は、表示部１０８の表示を示す図であり、図３（ａ）は、表示部１０８に画像情報領域と宛先情報領域の２つの領域を表示した画面の一例、図３（ｂ）は、画像情報領域のみを表示した画面の一例である。
【００３０】
まず、制御部１０１は、携帯情報端末のモードが記憶モードであるか、発信モードであるかを判断する（Ｓ２０１）。即ち、新規に画像情報と宛先情報を関連付けて記憶する処理を行うか（記憶モード）、既に記憶された画像情報と宛先情報を読み出して発信処理を行うか（発信モード）を判断する。この判断は、ユーザによる操作により行われる。例えば、ユーザ操作によりカメラが起動されていれば、新たに画像情報を記憶するモードであるとして記憶モードと判断され、一方、ユーザ操作によりアドレス帳が開かれていれば、これから発信処理がなされるモードであるとして発信モードと判断される。
【００３１】
記憶モードと判断された場合には、記憶モードの動作処理に移行し、カメラ部１０７で電話番号を含む名刺を撮影する（Ｓ２０２）。
【００３２】
撮影された画像は、画像情報記憶処理プログラムにより画像情報記憶部１１７に記憶される（Ｓ２０３）。
【００３３】
次に、画像情報記憶部１１７に記憶した画像情報を表示部１０８にある画像情報領域３０２へ表示する（Ｓ２０４）。このときは宛先情報がまだ入力されていないため、図３（ｂ）に示すように、画像情報領域３０２を画面３０１全体とし、画面いっぱいに画像３０４を表示するのが望ましい。
【００３４】
次に、キー入力の有無を判断する（Ｓ２０５）。ここで、入力キー１０５押下により宛先情報が入力された場合（Ｓ２０６）、表示処理プログラムにより、図３（ａ）に示すように、画面３０１を画像情報領域３０２と宛先情報領域とに分割する。画像情報領域３０２に画像３０４を表示し、宛先情報領域３０３に入力された宛先情報を表示するようにする（Ｓ２０７）。ここでは、例として画像情報領域３０２には「○×ストア」の電話番号「０１２−３４５−６７８９」を示す画像を表示し、宛先情報領域３０３に入力された電話番号「０１２−３４５−６７８９」を表示した場合を示している。
【００３５】
その後、Ｓ２０５に戻り入力キー１０５が入力される毎に、既に表示されている数字、記号、アルファベット等の文字の右側に、新たに入力された文字を表示する。
【００３６】
ユーザが宛先情報を最後まで入力した後、記憶キー１０６の押下の有無を判断する。（Ｓ２０８）。Ｓ２０８において、記憶キー１０６が押下された場合、宛先情報記憶処理プログラムは、宛先情報記憶部１１８に宛先情報の記憶を行う（Ｓ２０９）。その際、前記画像情報と前記宛先情報は関連付けられてリンクテーブルとしてリンクテーブル記憶部１１９に記憶される。記憶キー１０６押下以外の処理がされた場合は、その他の処理を行い（Ｓ２１７）、処理を終了する。
【００３７】
Ｓ２０１で、記憶モードでないと判断された場合には、制御部１０１は、発信モードであるか判断する（Ｓ２１０）。  
発信モードであると判断された場合には、画像情報記憶部１１７に記憶されている画像情報をユーザに選択させ、表示処理プログラムにより目的の画像を表示部１０８に表示させる（Ｓ２１１）。一方、発信モードでないと判断された場合には、記憶モードでも発信モードでもないとして、その他の処理を行い（Ｓ２１７）、処理を終了する。
【００３８】
発信モードと判断された場合には、制御部１０１は、画像情報と宛先情報のリンクテーブル１１９を参照し、当該画像情報に対応する宛先情報が存在するか判別する（Ｓ２１２）。
【００３９】
画像情報に対応する宛先情報が存在する場合には、画像情報記憶部１１７から画像情報を読み出すとともに、宛先情報記憶部１１８から宛先情報を読み出し、図３（ａ）に示すように表示部１０８に画像情報領域３０２と宛先情報領域３０３を配置し、それぞれ画像情報とこれに対応する宛先情報を表示する（Ｓ２１３）。ここでは、例として画像情報領域３０２に「○×ストア」の電話番号「０１２−３４５−６７８９」を示す画像を表示し、宛先情報領域３０３に発信先の電話番号「０１２−３４５−６７８９」を表示した場合を示している。この場合には、発信キー１０４を押し下げることにより、電話番号を入力する手間を省いて容易に発信することができる。また、発信先の相手（ここでは「○×ストア」）を画像により確認して確実に相手に電話をかけることができるようになる。
【００４０】
一方、Ｓ２１２で画像情報に対応する宛先情報が存在しないと判断された場合には、図３（ｂ）に示すように画像３０１を有効に利用するため、表示部１０８に画像情報表示領域３０４のみ配置し、画像を画面３０１いっぱいに表示する（Ｓ２１４）。そして、宛先情報を入力キー１０５により入力する（Ｓ２１８）。なお、宛先情報を入力するにあたっては、Ｓ２０５からＳ２０７と同様に、表示部１０８に画像情報領域３０２と宛先情報領域３０３を配置し、画像情報を表示しながら、宛先情報領域３０２に宛先情報を入力できるようにするのが望ましい。
【００４１】
続いて、発信キー１０４の入力を待つ（Ｓ２１５）。Ｓ２１５にて発信キー１０４が押下された場合には、発信処理プログラムは、表示されている宛先情報に対して発信を行う（Ｓ２１６）。表示されている宛先情報が新たに入力されたものである場合には、宛先情報記憶処理プログラムは、当該宛先情報を宛先情報記憶部１１８に記憶するとともに画像情報と宛先情報とを関連付けてリンクテーブル記憶部１１９に記憶する。これにより、画像情報と画像を見ながら入力した宛先情報とが発信時に自動的に関連付けて記憶されるので、次に画像情報を読み出し表示した場合、同時に宛先情報を表示するので、宛先情報を入力する手間を省くことができ使い勝手を向上することができる。
【００４２】
Ｓ２１５で発信キー１０４以外のキーが押下された場合は、その他の処理を行い（Ｓ２１７）、処理を終了する。
【００４３】
以上が、本発明における動作処理の流れである。
【００４４】
次に、画像情報と宛先情報のリンクテーブルの詳細を図４を用いて説明する。図４は、リンクテーブル記憶部１１９に記憶された画像情報と宛先情報のリンクテーブルの概念図である。
【００４５】
リンクテーブル１１９は、画像情報と宛先情報とが対応した表４０１となっており、画像を指定すると対応した宛先情報がわかるようになっている。例えば、画像１を指定すると対応する電話番号は０１２−３４５６−７８９０であることがわかる。また、画像２を指定すると対応するメールアドレスは、abcde@**.**.ne.jpであることがわかる。また、画像３を指定すると対応するＵＲＬはhttp://www.abcde.**.ne.jpであることがわかる。
【００４６】
以上、本発明に係る携帯情報端末について説明した。
【００４７】
以上説明したように、本発明においては、表示部を２つのエリアに分割し、画像に含まれる文字情報を見ながら宛先情報を打つことで入力効率を高めるとともに、画像情報と宛先情報を対応付けることで発信操作を容易にした携帯情報端末を提供することが可能となる。特に、名刺等に印字されている電話番号やとっさのメモ代わりに撮影する場合に有効である。これにより、ユーザは名刺や広告等の画像に含まれる電話番号等の文字情報を見ながら電話番号等を打つことができるので、わざわざ電話番号等を記憶する必要が無く、入力効率が高められ使い勝手を向上することができる。
【００４８】
また、表示部を２つのエリアに分割し、画像に含まれる電話番号等を目で見ながら入力することが可能なため、確実かつ容易に入力することができる。また、画像と電話番号等が関連付けられるため、使用者は画像を見ながら発信操作を容易に行うことができる。また、２つのエリアに分割されるため、電話番号等で画像の一部が隠れていまい重要な部分が見えないという問題がなくなる。さらに、電話番号等が表示されている時に所定の操作（例えば、通話釦押し）することで、画像と電話番号とで相手を確認後表示されている電話番号へ発信するので、発信効率を高めることができる。
【００４９】
なお、本発明においては、画像を表示しながら電話番号、メールアドレス、ＵＲＬを入力する手法について説明したが、画像を表示しながらメール本文を入力するようにすることも可能である。これにより、例えば撮影した画像を表示しながら当該画像を解説するメールを作成することができるようになる。
【００５０】
また、画面を２つに分割する際に、一方の領域を、ウェブページを表示する領域とし、もう一方の領域を、メール本文、検索ウェブページの検索語、掲示板に書き込む文面を表示する領域としても構わない。これにより、ウェブページを閲覧しながら当該ウェブページに関連するメールを作成したり、ウェブページの検索語を考えたり、掲示板に書き込む文面を考えることも可能となる。
【図面の簡単な説明】
【００５１】
【図１】本発明による携帯情報端末のブロック図。
【図２】本発明による携帯情報端末の動作処理の流れを示すフローチャート。
【図３】表示部に画像情報領域と宛先情報領域を設ける場合及び設けない場合の画面の一例を示す図。
【図４】画像情報と宛先情報のリンクテーブルの概念図。
【符号の説明】
【００５２】
１０１…制御部、１０２…通信部、１０３…入力部、１０４…発信キー、１０５…入力キー、１０６…記憶キー、１０７…カメラ部、１０８…表示部、１０９…マイク、１１０…スピーカ、１１１…ＲＯＭ、１１２…画像情報記憶処理部、１１３…電話番号記憶処理部、１１４…表示処理部、１１５…発信処理部、１１６…ＲＡＭ、１１７…画像情報記憶部、１１８…宛先情報記憶部、１１９…リンクテーブル記憶部、３０１…画面、３０２…画像情報領域（２つのエリアに分割する場合）、３０３…宛先情報領域、３０４…画像情報領域（２つのエリアに分割しない場合）、４０１…リンクテーブル
【図１】
2005159487.tif 000003
【図２】
2005159487.tif 000004
【図３】
2005159487.tif 000005
【図４】
2005159487.tif 000006